(57)【要約】 【課題】停電時にも通常時と同様の物品収受動作が可能であり、さらに停電時に集合住宅共用部のバックアップ電源として機能させることができる物品収受装置を提供する。【解決手段】居住者に割り当てられた認証手段を用いた認証を介して開錠が制御される電気錠により施錠可能な物品収受ボックスにより物品収受を行なう物品収受装置において、商用交流電源から電源供給が行なわれている間商用交流電源により充電されるバッテリーと、商用交流電源の停電時、バッテリーから供給される電力を装置外部の負荷に給電する給電アウトレットを設け、商用交流電源の停電時、電気錠を含む構成部材がバッテリーから供給される電力により駆動されるよう切り換えるとともに、商用交流電源からの電源供給が遮断状態となった時、前記集合住宅の共用部負荷に対して前記バッテリーから供給される電力を給電する。【選択図】図３
2013165925.tif 000002
【特許請求の範囲】
【請求項１】
集合住宅に配置され、該集合住宅の居住者に割り当てられた認証手段を用いた認証を介してその開錠が制御される電気錠により施錠可能な物品収受ボックスを用いて宅配物または郵便物の収受を行なう物品収受装置において、
前記物品収受ボックスによる物品収受を制御する制御部と、
商用交流電源から電源供給が行なわれている間、商用交流電源により充電されるバッテリーを有し、
商用交流電源からの電源供給が遮断された場合、前記制御部は前記電気錠を含む構成部材が前記バッテリーから供給される電力により駆動されるよう切り換えるとともに、商用交流電源からの電源供給が遮断状態となった時、前記集合住宅の共用部負荷に対して前記バッテリーから供給される電力を給電することを特徴とする物品収受装置。
【請求項２】
請求項１に記載の物品収受装置において、前記バッテリーから供給される電力を装置外部の負荷に給電する給電アウトレットを有し、商用交流電源からの電源供給が遮断された場合、前記制御部は前記バッテリーから供給される電力を前記給電アウトレットを介して装置外部の任意の負荷に給電することを特徴とする物品収受装置。
【請求項３】
請求項２に記載の物品収受装置において、前記給電アウトレットが前記物品収受ボックスの１つ、または前記物品収受ボックスとほぼ同等の構造を有する収容区画内に配置された給電パネル上に配置されることを特徴とする物品収受装置。
【請求項４】
請求項３に記載の物品収受装置において、前記給電パネルを収容する収容区画を覆う扉が電気錠によって施錠または開錠可能であり、前記制御部は、商用交流電源から電源供給が行なわれている間、前記扉の電気錠を施錠状態とし、商用交流電源からの電源供給が遮断されると前記給電アウトレットを装置外部の負荷に対する給電に用いることができるよう前記扉の電気錠を開錠することを特徴とする物品収受装置。
【請求項５】
請求項３に記載の物品収受装置において、前記給電パネルを収容する収容区画を覆う扉が機械的な非常開錠装置により開錠可能な錠前によって施錠され、商用交流電源からの電源供給が遮断された場合、前記給電アウトレットを装置外部の負荷に対する給電に用いることができるよう前記非常開錠装置を介して前記扉の錠前を開錠することを特徴とする物品収受装置。
【請求項６】
請求項１〜５のいずれか１項に記載の物品収受装置において、前記バッテリーが前記物品収受ボックスの１つ、または前記物品収受ボックスとほぼ同等の構造を有する収容区画内に収容されることを特徴とする物品収受装置。
【発明の詳細な説明】
【技術分野】
【０００１】
本発明は物品収受装置、特に集合住宅に配置され、該集合住宅の居住者に割り当てられた認証手段を用いた認証を介してその開錠が制御される電気錠により施錠可能な物品収受ボックスを用いて宅配物または郵便物の収受を行なう物品収受装置に関するものである。
【背景技術】
【０００２】
マンションなどの集合住宅などには、郵便受や、いわゆる宅配ボックスなどと呼ばれる物品収受装置（以下、簡略化のため、これらの物品収受装置を単に「宅配ボックス」としても言及する）が設置されることがある。特に、宅配ボックスは、特定の居住者宛ての宅配荷物を受け取ったり、あるいは特定の居住者が発送する宅配荷物を集荷するための、施錠可能な物品収受ボックスを複数有するロッカーに類似した物品収納（収受）装置である。この物品収受ボックスは、居住者に共有的に使用される場合もあるが、個々の居住者にそれぞれ専有的に１つの物品収受ボックスを割り当てる利用形態も考えられ、その場合、物品収受ボックスは郵便物の受け取りなどにも用いることができる（下記の特許文献１）。
【０００３】
この種の宅配ボックスでは、複数の物品収受ボックスに対する宅配荷物などの出し入れに必要な開錠（あるいは施錠）を、ＩＤカード（ＩＣカードなど）などの認証手段をタッチパネルなどを用いたコンソールに設けたカードリーダに提示するような認証操作を介して制御する。
【先行技術文献】
【特許文献】
【０００４】
【特許文献１】特開２００９−２７３７３９号公報
【発明の概要】
【発明が解決しようとする課題】
【０００５】
上述のような物品収受装置の物品収受ボックスの開錠あるいは施錠制御は電気的に駆動・制御される電気錠を介して制御され、また、物品収受ボックスの扉の開錠／施錠を含む制御・管理を行なう制御部はマイクロプロセッサ（ＣＰＵ）やメモリその他の回路から構成されており、したがって近年の物品収受装置は、郵便ポスト専用の装置のように純機械的な開錠／施錠手段を用いたものを除くと、運用には商用交流電源などからの電源供給が必須であり、停電が生じると物品収受ボックスの運用に支障をきたす、たとえば着荷した宅配物を取り出せなくなってしまう、という問題があった。
【０００６】
このため、停電（あるいはシステムの誤動作や故障）のような事態を想定して、電源を必要としない機械的な手段によって物品収受ボックスの扉を開錠する非常開錠装置を設けておき、とりあえず着荷した宅配物を取り出せるようにした構成が知られている。しかしながら、非常開錠装置のような手段はあくまでも緊急避難的なものであり、しかも荷物の取り出しという装置の機能のほんの一部を回復させるに過ぎず、停電などによりシステムへの電源供給が途絶えた場合、従来の物品収受装置は製品仕様通りのサービスをフルに提供することはできなかった。
【０００７】
特に、近年の宅配ボックスのような物品収受装置は多機能化が進んでおり、物品収受装置の制御部に集合住宅共用部（以下共用部という）の照明の点灯・消灯や光量の制御などのような電源制御を行なうスマートグリッド機能を統合したり、物品収受に用いられるＩＤカードを他の認証手段と共用化することによって、エントランスの扉の開閉やレンタルサイクル、電気自動車の充電制御なども統合制御できるように構成されたシステムが考えられている。
【０００８】
このように集合住宅共有部において提供される様々な機能やサービスを統合的に管理・制御できるよう構成された物品収受装置では、当然ながら管理・制御には上述同様に電気的に駆動される制御回路が必須である。このように物品収受装置が集合住宅における様々な機能やサービスを統合的に管理している場合、停電により物品収受装置が止まってしまうと集合住宅に提供していたサービスが停止し、あるいはサービスの質が低下してしまう問題がある。
【０００９】
従来では、停電時に物品収受装置の機能をある程度まで保全するには、コンピュータシステムなどに用いられるのと同様の無停電電源を用いて停電時も物品収受装置の制御部の機能を保証する、たとえば制御部のメモリ内容をバッテリーバックアップするような構成が考えられる。しかしながら、このような構成は、たとえば制御部が管理している制御データの破損を防ぐには有効であるが、非常用の給電手段はあくまでも比較的短い時間の電源遮断にしか対応できず、また、従来のこの種のバックアップ電源は基本的には制御系以外へのバックアップ給電を考慮しておらず、何より制御部以外の負荷への非常給電を行なうことができない。
【００１０】
すなわち、この種の物品収受装置の配置された集合住宅における停電時の課題とは、停電期間中も制御部の動作を保証することはもちろん、さらに物品収受装置の管理する電気駆動式の部材（たとえば物品収受ボックスの電気錠など）の動作を保全し、物品収受装置として停電していない平常時と同等のサービスを設置された集合住宅に提供できること、が挙げられる。
【００１１】
また、停電時に、物品収受装置の制御部の配下の機器、たとえばエントランスの扉の電気錠への給電、レンタルサイクルシステムや電気自動車の充電制御システムや、たとえば制御部が管理するスマートグリッド系の照明器具のような共用部負荷への給電が行なえるのが好ましい。
【００１２】
また、停電時に、物品収受装置が直接制御に係わっていない電気負荷であっても、たとえば物品収受装置近傍の共用部負荷などへの給電、あるいはさらに、照明器具などの共用部負荷のように屋内配線により配線された負荷以外の任意の負荷、たとえば居住者が持参した家電機器や携帯電話やノートパソコンなどの機器へ緊急的に給電を行ないこれらの機器を動作させ、また充電できればより好ましい。
【００１３】
本発明の課題は、以上の問題点に鑑み、停電時にも通常時と同様の物品収受動作が可能であり、さらに停電時には物品収受装置の管理する電気機器や、物品収受装置の制御部の配下の共用部負荷、あるいは物品収受装置近傍の共用部負荷などへの給電も行なえる集合住宅共用部のバックアップ電源としての機能を有する物品収受装置を提供することにある。
【課題を解決するための手段】
【００１４】
上記課題を解決するため、本発明においては、集合住宅に配置され、該集合住宅の居住者に割り当てられた認証手段を用いた認証を介してその開錠が制御される電気錠により施錠可能な物品収受ボックスを用いて宅配物または郵便物の収受を行なう物品収受装置において、前記物品収受ボックスによる物品収受を制御する制御部と、商用交流電源から電源供給が行なわれている間、商用交流電源により充電されるバッテリーを有し、商用交流電源からの電源供給が遮断された場合、前記制御部は前記電気錠を含む構成部材が前記バッテリーから供給される電力により駆動されるよう切り換えるとともに、商用交流電源からの電源供給が遮断状態となった時、前記集合住宅の共用部負荷に対して前記バッテリーから供給される電力を給電する構成を採用した。
【００１５】
あるいはさらに、前記バッテリーから供給される電力を装置外部の負荷に給電する給電アウトレットを有し、商用交流電源からの電源供給が遮断された場合、前記制御部は前記バッテリーから供給される電力を前記給電アウトレットを介して装置外部の任意の負荷に給電する構成を採用した。
【００１６】
あるいはさらに、前記給電アウトレットが前記物品収受ボックスの１つ、または前記物品収受ボックスとほぼ同等の構造を有する収容区画内に配置された給電パネル上に配置される構成を採用した。
【００１７】
あるいはさらに、前記給電パネルを収容する収容区画を覆う扉が電気錠によって施錠または開錠可能であり、前記制御部は、商用交流電源から電源供給が行なわれている間、前記扉の電気錠を施錠状態とし、商用交流電源からの電源供給が遮断されると前記給電アウトレットを装置外部の負荷に対する給電に用いることができるよう前記扉の電気錠を開錠する構成を採用した。
【００１８】
あるいはさらに、前記給電パネルを収容する収容区画を覆う扉が機械的な非常開錠装置により開錠可能な錠前によって施錠され、商用交流電源からの電源供給が遮断された場合、前記給電アウトレットを装置外部の負荷に対する給電に用いることができるよう前記非常開錠装置を介して前記扉の錠前を開錠する構成を採用した。
【００１９】
あるいはさらに、前記バッテリーが前記物品収受ボックスの１つ、または前記物品収受ボックスとほぼ同等の構造を有する収容区画内に収容される構成を採用した。
【発明の効果】
【００２０】
上記構成によれば、商用交流電源に停電が生じても商用交流電源から電源供給が行なわれている間、商用交流電源により充電したバッテリーの電力を用いて前記電気錠を含む構成部材を動作させ停電時にも通常時と同様の物品収受動作が可能であり、また、前記集合住宅の共用部負荷、特に物品収受装置の管理する電気機器や、物品収受装置の制御部の配下の共用部負荷、あるいは物品収受装置近傍の共用部負荷などに対して前記バッテリーから供給される電力を給電することができ、物品収受装置を集合住宅共用部の停電時のバックアップ電源として機能させることができる、という優れた効果がある。
【００２１】
あるいはさらに、前記バッテリーから供給される電力を装置外部の負荷に給電する給電アウトレットを設けることにより、商用交流電源からの電源供給が遮断された場合、前記バッテリーから供給される電力を前記給電アウトレットを介して装置外部の任意の負荷に給電することができる。
【００２２】
あるいはさらに、前記給電アウトレットを前記物品収受ボックスの１つ、または前記物品収受ボックスとほぼ同等の構造を有する収容区画内に配置された給電パネル上に配置する構成によれば、物品収受装置を集合住宅近傍に非常用の電源を供給するバックアップ電源として動作させることができ、集合住宅の居住者、管理人、あるいは近隣住民など関係者は災害時の停電などの不慮の事態においても物品収受装置から任意の負荷に給電を受けることができる。
【００２３】
さらに前記給電アウトレットの収容区画の扉を電気錠により施錠／開錠するようにし、商用交流電源から電源供給が行なわれている間、前記扉の電気錠を施錠状態とし、商用交流電源からの電源供給が遮断されると前記給電アウトレットを装置外部の負荷に対する給電に用いることができるよう前記扉の電気錠を開錠する構成とすることにより、必要な場合のみ前記給電アウトレットを使用できるよう制御でき、盗電などの不法行為を防止することができる。
【００２４】
あるいは前記給電アウトレットの収容区画の扉を機械的な非常開錠装置により開錠可能な錠前によって施錠されるようにし、商用交流電源からの電源供給が遮断された場合、前記非常開錠装置を介して前記扉の錠前を開錠し、前記給電アウトレットを装置外部の負荷に対する給電に用いられるよう構成することによっても、必要な場合のみ前記給電アウトレットを使用できるよう制御でき、盗電などの不法行為を防止することができる。
【００２５】
あるいはさらに、前記バッテリーは前記物品収受ボックスの１つ、または前記物品収受ボックスとほぼ同等の構造を有する収容区画内に収容することができ、これによりバッテリーの収容場所を特別に用意しなくても大容量で大型のバッテリーを配置することができ、非常時や災害時などに長時間、バッテリーの大きな非常用電力を供給することができる。
【図面の簡単な説明】
【００２６】
【図１】本発明による物品収受装置の物品収受ボックス部分の構成を示した説明図である。
【図２】本発明による物品収受装置の給電パネル部の構成を示した説明図である。
【図３】本発明による物品収受装置の制御系の構成を示したブロック図である。
【図４】図３の受給電制御部の構成を示したブロック図である。
【図５】本発明による物品収受装置の制御の流れを示したフローチャート図である。
【発明を実施するための形態】
【００２７】
以下、本発明を実施するための形態の一例として、マンションなどの集合住宅において実施するに好適な物品収受装置に関する実施例を示す。以下の実施例では、物品収受装置の制御部は、物品収受に用いられる物品収受ボックスのような機器の他、集合住宅共用部に配置された機器、たとえば集合住宅共用部の照明機器、電気自動車の充電器といったシステムの制御にも用いられるとともに、以下の実施例ではこれらの制御部配下の機器に対する給電制御も行なう。
【実施例】
【００２８】
図１、および図３の右方に、本発明を採用した物品収受装置１００の物品収受ボックス部（いわゆる宅配ボックス部）の構成を示してある。
【００２９】
物品収受装置１００は、いわゆる宅配物の授受に用いる宅配ボックス（宅配ロッカー）や、郵便受けなどとして構成される。図１、図３右側では、物品収受装置１００は、マンションなどの集合住宅（以下、単に「集合住宅」と称する）の宅配業者や郵便配達員がアクセスできる公共側とは反対側、たとえばプライベート側、すなわちオートロックシステムなどにより制御される集合住宅のエントランス扉の内側の面を示してある。
【００３０】
物品収受装置１００は、複数の物品収受ボックス１０１、１０１…から構成される。物品収受ボックス１０１のいずれかが郵便受けとして構成される場合には図３に破線で示すように物品収受ボックス１０１の公共側の面に投函口１０２、１０２…が設けられ、この投函口１０２とは反対側の面には郵便物を取り出すための電気錠（あるいは番号キーなど）により開閉される扉が設けられる。
【００３１】
また、物品収受ボックス１０１、１０１…が宅配ボックスとして構成される場合には、公共側の面は宅配業者が宅配物を収容するための扉（この扉は居住者が宅配物を取り出すための扉を兼ねていてもよい）として構成され、図示したプライベート側の面には居住者が宅配物を取り出すための扉が設けられ、これらの扉の開閉は電気錠（後述する図２の電気錠３０９を参照）により制御される。
【００３２】
物品収受ボックス１０１、１０１…の郵便物を取り出すための扉、あるいは宅配物を収容し、また取り出すための扉の開閉は、コンソール１０３での居住者（あるいは宅配業者）の操作に応じて制御部２００により制御される。
【００３３】
なお、図３の物品収受装置１００は、左方にブロック図として示した制御系に関係した図示となっており、図示は概略的であり、物品収受ボックス１０１のサイズや配置などは必ずしも図１の図示と一致していないが、たとえば物品収受ボックス１０１のサイズや配置に関しては当業者が任意に決定できる設計的な事項である。
【００３４】
コンソール１０３は、ここでは便宜上、プライベート側に配置されたものを図示しているが、ほぼ同じ構造のものを公共側（図示した側と反対側）に設けることができる。
【００３５】
コンソール１０３には、ＬＣＤパネルなどから構成されたディスプレイ１０４、ファンクションキーやテンキーから成るキーボード１０５、および認証手段としてのＩＤカード１１１（図３中に図示）の情報を読み取るカードリーダー１０６が設けられる。
【００３６】
ＩＤカード１１１（図３）は、集合住宅の居住者がそれぞれ保有するもので、前記集合住宅の特定の居住者に関連づけられた情報、たとえばその居室番号（あるいはそれに対応する情報を特定の手法でエンコードされた情報など）などがＩＤ情報として記録された非接触ＩＣカードなどにより構成される。また、当該集合住宅以外のＩＤカード１１１を用いたりできないように、ＩＤカード１１１には、当該集合住宅で用いることができる正規のカードであることを示す特定の鍵情報を格納したり、あるいは居室番号などのＩＤ情報を当該集合住宅のみで通用する鍵情報を用いて暗号化して記録したりすることができる。
【００３７】
また、ＩＤカード１１１は宅配物（あるいは郵便物や郵便小包）を収容するため物品収受ボックス１０１、１０１…の公共側の扉を開錠するために用いる特別なカードとして特定の宅配業者（あるいは郵便配達人）に配布することもできる。さらに、ＩＤカード１１１は集合住宅のエントランスの扉（不図示。いわゆるオートロック制御される玄関扉）や、居住者個々の居室を開閉する鍵として機能するカードキーを兼ねていてもよい。
【００３８】
また、ＩＤカード１１１は、物品収受動作に係わる認証のみならず、たとえば電気自動車（自己の保有する車両、あるいはカーシェアリングにより貸与される車両）を充電するための充電サービスを受けるために必要な認証を行なう認証手段としても用いることができる。
【００３９】
このように特定の居住者と１：１に対応づけられたＩＤカード１１１を用いることにより、後述のように特定の居住者の電気自動車の充電サービスの利用行動に係わる情報、ないしは、その居住者が充電サービスを受ける電気自動車に係わる情報をデータベース情報として蓄積し、該データベース情報を用いて効率よく迅速に複数の電気自動車を充電することができる。
【００４０】
なお、ＩＤカードは、上記のように物品収受装置や集合住宅に配置される各種システムの認証手段を構成するものであるが、この認証手段としては上記のＩＣカードなどの他、携帯電話やスマートフォン、タブレット端末（あるいはノートＰＣ）のように非接触ＩＣカードと同等のＲＦＩＤ（Ｒａｄｉｏ  Ｆｒｅｑｕｅｎｃｙ  ＩＤｅｎｔｉｆｉｃａｔｉｏｎ）インターフェースを有する装置などを用いることもできる。
【００４１】
物品収受装置１００の制御部２００（図３）は、たとえば上記のコンソール１０３が設けられた筐体内部などに配置される。この制御部２００は図３の中央に取り出した形でブロック図として示してある。
【００４２】
物品収受装置１００の制御部２００は、コンソール１０３でのＩＤカード１１１の提示やキー操作などに応じて、物品収受装置１００の物品収受ボックス１０１、１０１…を施錠／開錠する電気錠の開閉制御を行なう。
【００４３】
また、上述のように、ＩＤカード１１１は、物品収受装置１００の施錠／開錠操作のほか、集合住宅で提供されるサービス、たとえば居住者（が保有する、あるいは使用の権利のある）電気自動車に対する充電サービスに関する認証に用いられるが、この認証は制御部２００によって制御される。
【００４４】
また、制御部２００は、集合住宅共用部の照明機器の制御や、集合住宅共用部の電気負荷への給電に関するスマートグリッド制御、（ＩＤカード１１１を用いた）エントランス扉のオートロック制御などを行なうよう構成することもできる。すなわち、制御部２００は、物品収受装置１００の制御のみならず、このような集合住宅で提供されるサービスを統合的に制御することができる。
【００４５】
上述の集合住宅共用部の照明機器の制御や、集合住宅共用部の電気負荷への給電に関するスマートグリッド制御、（ＩＤカード１１１を用いた）エントランス扉のオートロック制御など、集合住宅共用部の機器の制御やそれらの機器を用いて提供されるサービスの制御は共用部制御回路２０８を介して行なうことができる。
【００４６】
特にＩＤカード１１１が用られるサービス、たとえば特定の居住者の電気自動車の充電サービスなどの場合には、ＩＤカード１１１を保持する居住者の当該サービスの利用行動に係わる情報や居住者が充電サービスを受ける電気自動車に係わる情報などをデータベース情報として蓄積し、該データベース情報を用いて当該サービスの提供形態を制御することができる。
【００４７】
制御部２００は、主制御部としてのＣＰＵ２０１、ＣＰＵ２０１のプログラムを格納したＲＯＭ２０２、ワークエリアとして用いられるＲＡＭ２０３、物品収受装置１００の電気錠やコンソール１０３と通信するためのインターフェース２０９、後述の給電・充電制御部３０１と通信するための所定通信方式によるインターフェース２０５（たとえば IEEE 802.3 ネットワークインターフェース、シリアルインターフェースなど）などから構成される。
【００４８】
さらに制御部２００には、ＨＤＤや不揮発メモリカードから成る外部記憶装置２０７が接続されており、後述のプログラム（の全部あるいはその一部）、および充電行動データベース情報はこの外部記憶装置２０７に格納される。
【００４９】
また、制御部２００は、ネットワークインターフェース（たとえば IEEE 802.3 ネットワークインターフェースや所定方式の WAN インターフェースなど）２０４を有し、ネットワーク２０６（イントラネット、あるいはインターネット）を介して遠隔地のサーバと通信することができる。後述の制御の一部は、制御部２００のみならず、ネットワーク２０６を介して接続されるサーバによって代行することができる。特に、後述のデータベース情報の蓄積や管理は、このようにネットワーク２０６を介して接続されるサーバによって実施するようにしてもよい。
【００５０】
本実施例では、停電時にも通常時と同様の物品収受動作を行なえるよう、また、停電時には物品収受装置の管理する電気機器、特に物品収受装置の制御部の配下の共用部負荷、あるいは物品収受装置近傍の共用部負荷などへの給電も行なえる集合住宅共用部のバックアップ電源としての機能を付与するため、図３に示すように２次電池としてバッテリー６０１を設け、通常時は商用交流電源３０２によりバッテリー６０１を充電しておき、停電時にバッテリー６０１から物品収受装置の制御系および各部に給電するとともに、物品収受装置の管理する電気機器、物品収受装置の制御部の配下の共用部負荷、あるいは物品収受装置近傍の共用部の負荷（通常は交流負荷）などに給電できるようにする。
【００５１】
これらの非常時にバッテリー６０１から給電を受ける物品収受装置の管理する電気機器、物品収受装置の制御部の配下の共用部負荷、あるいは物品収受装置近傍の共用部負荷などの負荷は図３において符号７０１〜７０３のブロックとして示してある（共用部負荷１〜３）。ここでは３つの共用部負荷７０１〜７０３のブロックを図示したが、共用部負荷の数や仕様は任意である。
【００５２】
バッテリー６０１は、できるだけ停電時に大きな電流を供給できるよう、大型の鉛電池（あるいは他の任意の形式の２次電池）などから構成し、物品収受ボックスの１つ（あるいは必要であれば２つ以上の物品収受ボックス）、特にサイズの大きい物品収受ボックス（あるいは物品収受ボックスとほぼ同等の構成を有する筐体内の区画）をバッテリーのコンパートメント（収容区画）６００として用い、図１、図３に破線で示すようにバッテリー６０１はこのバッテリーコンパートメント６００に収容する。このような構成により、宅配ボックスとして使用できるスペースは減るが、バッテリーの収容場所を特別に用意しなくてもかなり大容量で大型のバッテリー６０１を配置することができる。
【００５３】
なお、バッテリーコンパートメント６００は開閉可能な扉により覆っておくのが好ましい。この扉は主にメンテナンスのために開閉されるものであるため、電気錠などではなく通常のタンブラーキーや専用工具を用いて開錠される錠前などにより施錠できれば足りる、と考えられるが、電気錠を用いて施錠・開錠されるよう構成し、管理人や管理会社の専用のＩＤカードを用いて開閉できるよう制御する構成をとってもよい。
【００５４】
バッテリー６０１の充電、および非常時のバッテリー６０１からの給電動作は給電・充電制御部３０１（図４）により行なわれる。給電・充電制御部３０１はインターフェース２０５を介して制御部２００と接続されており、制御部２００の制御を受ける。制御部２００および物品収受装置の各部（たとえば物品収受ボックスの電気錠や上記のコンソール１０３）は通常時は商用交流電源３０２により動作するが、停電時には給電・充電制御部３０１からの供給電流により動作する。
【００５５】
給電・充電制御部３０１は、停電時にバッテリー６０１の電力を用いて共用部負荷７０１〜７０３への給電を行なう他、本実施例では給電パネル３００を介して任意の負荷への給電を行なえるよう構成してある。
【００５６】
給電パネル３００は、たとえば物品収受ボックスの１つ（あるいは物品収受ボックスとほぼ同等の構成を有する筐体内の区画）を専用のコンパートメント（収容区画）としこの専用コンパートメントの内部に配置し、該コンパートメントの扉を開くことによりアクセスできるようにする。
【００５７】
図３の左側、および図２に示すように給電パネル３００の盤面には複数の給電アウトレット（いわゆるコンセント、やプラグ）を配置してある。給電アウトレットは、たとえばＡＣ給電用のもの（３０３）、ＤＣ給電用のもの（３０４、３０５）など、ピン配置や出力電圧に関しては任意の仕様のものを配置することができる。
【００５８】
ＡＣ給電用の給電アウトレット３０３は、たとえばＡＣ１００Ｖの供給に用いられる通常の２線式のものとし、これら給電アウトレット３０３を介して停電時に各種の家電製品やＡＣアダプタへの給電を行なうことができ、たとえば災害時などに生じた停電の場合に、緊急避難的にＡＣ１００Ｖ駆動の機器に給電し、これを動作させ、あるいは充電することができる。
【００５９】
ＤＣ給電用の給電アウトレット３０４、３０５は、たとえば数種類の機器（ＡＣアダプタや携帯電話など）のためのケーブル／コネクタを接続できるよう、任意のピン配置／出力電圧仕様のものを複数配置することができる。また、給電アウトレット３０４、３０５の形態はＵＳＢコネクタとして構成してもよく、これによりＵＳＢ給電により動作ないし充電を行なう機器（スマートフォン、デジタルカメラ、ノートＰＣなど）への給電を行なうことができる。
【００６０】
たとえば以上のように給電パネル３００を構成しておくことにより、たとえば災害時などに生じた停電の場合に、あらかじめ集合住宅構内に設けられた配線を介して給電を行なう共用部負荷７０１〜７０３のみならず、それ以外の負荷（上記の各種家電機器、携帯電話、スマートフォン、デジタルカメラ、ノートＰＣなど）を給電パネル３００の給電アウトレット３０３〜３０５に接続して動作させる、あるいは充電することができる。
【００６１】
なお、給電パネル３００は、図２に示すように他の物品収受ボックス１０１と同様に扉１０１１付きの専用コンパートメント内部に収容しておく構成が考えられる。図３右側は、この専用コンパートメントの扉１０１１を閉じた状態を示している。
【００６２】
図２の符号３０８、３０８は給電パネル３００の専用コンパートメントの扉１０１１を回動支持するヒンジ、３０９は扉１０１１を施錠・開錠する電気錠、３０７は電気錠と係合して扉１０１１をロックするための施錠フックである。
【００６３】
給電パネル３００を覆う扉１０１１をロックする電気錠３０９の施錠・開錠は、制御部２００により制御するものとし、たとえば通常時は施錠状態とし、停電時に自動的に開放させるよう制御する（後述の図５の処理）。
【００６４】
ただし、通常時／停電時を問わず、他の物品収受ボックス１０１と同様に制御する、たとえば特定の操作（給電パネル３００の扉の開放操作）を行なわない限り施錠状態を保つような仕様も考えられる。この場合、ＩＤカードをコンソール１０３に提示するなどの認証を行なうか否かは任意である。
【００６５】
あるいは、電気錠３０９のかわりに、集合住宅や公共施設などに配置される非常通報装置（火災報知器など）などで用いられているのと同様な機械的な非常開錠装置により開錠可能な錠前により扉１０１１を施錠しておく構成も考えられる。この種の非常開錠装置は、たとえば非常時に破壊的に開放可能なカバーの内側に開錠ボタンを配置する、といった構成を有しており、停電などの非常時にこの非常開錠装置を用いて扉１０１１を施錠している錠前を開錠できるよう構成しておくのである。
【００６６】
図４は図３の給電・充電制御部３０１の回路構成例を詳細に示している。
【００６７】
図４において符号３００１はたとえば上述の制御部同様にＣＰＵ、ＲＯＭ、ＲＡＭなどを用いて構成された電源制御部で、電源制御部３００１は制御部２００のインターフェース２０５と同じ接続仕様により構成されたインターフェース３００９を介して制御部２００と接続されている。
【００６８】
電源制御部３００１は、インターフェース３００９を介して制御部２００と通信し、制御部２００と連携して後述の電源制御を行なう。
【００６９】
符号３０２は上記の商用交流電源で、商用交流電源３０２の給電状態（通常給電状態か、あるいは停電状態か）はたとえば電圧ないし電流センサなどから成る給電状態センサ３０１０によって検出され、電源制御部３００１は給電状態センサ３０１０を介して商用交流電源３０２の給電状態を認識し、あるいはさらに制御部２００に対して商用交流電源３０２の給電状態を報知する。
【００７０】
図４の給電・充電制御部３０１には、変圧・整流回路、あるいはスイッチングレギュレータなどから構成されたＡＣ／ＤＣコンバータ３００３を有し、バッテリー６０１はＡＣ／ＤＣコンバータ３００３が出力する直流（たとえばＤＣ１２Ｖ）により充電制御回路３００６を介して充電できるようにする。
【００７１】
充電制御回路３００６は、通常時（非停電時）、バッテリー６０１の充電状態を検出しながら、バッテリー６０１の充電電流が最適となるように制御を行なう。
【００７２】
また、給電・充電制御部３０１には、ＤＣ／ＤＣコンバータ３００４、およびＤＣ／ＡＣコンバータ３００５が設けられている。
【００７３】
ＤＣ／ＤＣコンバータ３００４はスイッチングレギュレータなどから構成され、バッテリー６０１の出力する直流（たとえばＤＣ１２Ｖ）を給電パネル３００の出力電圧仕様の異なる直流出力用の給電アウトレット（たとえば３０４、３０５）でそれぞれ必要な直流電圧（ＤＣ３Ｖ、６Ｖ、９Ｖ、１２Ｖなど）に変換し、それぞれの直流電圧を出力する直流給電ラインＤ１、Ｄ２…を介して給電パネル３００（あるいは物品収受ボックスの電気錠など、他の直流負荷）に給電する。
【００７４】
ＤＣ／ＡＣコンバータ３００５はスイッチングレギュレータなどから構成され、停電時、バッテリー６０１の出力する直流（たとえばＤＣ１２Ｖ）を上述の共用部負荷７０１〜７０３で必要な交流電圧（たとえば単相ＡＣ１００Ｖ）に変換し、交流給電ラインＡ１を介して共用部負荷７０１〜７０３に給電するために用いられる。
【００７５】
また、給電・充電制御部３０１には、後述のコンバータ３００３〜３００５の入出力を制御するアナログスイッチ（不図示）が設けられる。
【００７６】
図３、図４に示した制御系の回路は、たとえばコンソール１０３の配置されるパネル裏の筐体内部などに配置する。
【００７７】
次に、図５のフローチャートを参照し、上記構成における動作につき説明する。図５は制御部２００が停電時に実行する制御ルーチンの流れを示しており、ここでは同制御ルーチンが制御部２００のＣＰＵ２０１が実行する割り込みプログラムとして記述した例を示している。
【００７８】
給電・充電制御部３０１の給電状態センサ３０１０が商用交流電源３０２の停電を検出していない通常時の処理は殊更に図示していないが、商用交流電源３０２からの給電がある平常時は、制御部２００のＣＰＵ２０１が給電・充電制御部３０１の電源制御部３００１と通信しながら、給電・充電制御部３０１のＡＣ／ＤＣコンバータ３００３〜充電制御回路３００６を介して商用交流電源３０２の出力によりバッテリー６０１を充電する処理が行なわれる。バッテリー６０１がフル充電に近付くにつれ、たとえば充電制御回路３００６は充電電流を漸減させるような公知の充電制御を行ない、バッテリー６０１がフル充電となっている場合には、充電制御回路３００６により充電電流がカットオフされる。
【００７９】
給電状態センサ３０１０が商用交流電源３０２の停電を検出すると、給電・充電制御部３０１の電源制御部３００１はインターフェース３００９〜２０５を介して特定のコマンドを送信し、商用交流電源３０２からの給電が遮断された旨を通知する。また、電源制御部３００１は商用交流電源３０２が復旧した時もその旨を表現した特定のコマンドを送信するものとする。
【００８０】
給電・充電制御部３０１から停電を検知した旨の特定のコマンドが送信されると、制御部２００のＣＰＵ２０１に割り込みがかかり、図５のルーチンが実行される。なお、図５のステップＳ４において、バッテリー６０１からの給電が給電パネル３００や共用部負荷７０１〜７０３に本格的に開始されるまでの間も、制御部２００や給電・充電制御部３０１の主要部、特に図５に示した処理に関係するブロックについてはバッテリー６０１からの電源電圧（必要に応じてＤＣ／ＤＣコンバータ３００４で電圧変換される）が供給されており、図５の制御が可能であるものとする。
【００８１】
図５の停電時割込処理では、まずステップＳ１において、コンソール１０３の表示出力、ないしコンソール１０３に音声出力手段が設けられている場合は音声出力（警報音の発生、ないし合成音声によるメッセージ出力など）などによって停電が生じたことを装置近傍に報知する。あるいはこの停電報知はネットワーク２０６を介して特定の相手先（たとえば管理人や管理会社の宛先）にメールやショートメッセージなどを送信することにより行なうことにしてもよい。
【００８２】
図５のステップＳ２では、ＣＰＵ２０１はインターフェース３００９〜２０５を介して給電・充電制御部３０１から送信されるコマンドを監視し、商用交流電源３０２からの給電が復旧したか否かを判定する。商用交流電源３０２からの電源供給が依然として遮断状態であればステップＳ３に移行し、商用交流電源３０２が復旧した場合はステップＳ７へ移行する。
【００８３】
ステップＳ３では、ＡＣ／ＤＣコンバータ３００３〜充電制御回路３００６によるバッテリー６０１の充電を停止する。
【００８４】
ステップＳ４では、本処理に関係する制御部２００や給電・充電制御部３０１の主要部以外の各部、たとえば物品収受ボックス１０１の電気錠などに対してバッテリー６０１〜ＤＣ／ＤＣコンバータ３００４の出力を給電するよう切り換える。
【００８５】
ステップＳ５では、給電パネル３００の扉１０１１の電気錠３０９を開錠し、扉１０１１を開放し、ステップＳ６ではバッテリー６０１の直流出力を用いてＤＣ／ＤＣコンバータ３００４およびＤＣ／ＡＣコンバータ３００５を駆動し、直流給電ラインＤ１、Ｄ２…および交流給電ラインＡ１から共用部負荷７０１〜７０３と給電パネル３００に対し給電を開始する。
【００８６】
これにより、居住者や管理人などが上述のようにして給電パネル３００の給電アウトレット３０３〜３０５を利用して家電製品や携帯電話、ノートＰＣなどの情報機器を使用したり充電したりできるようになる。また、共用部負荷７０１〜７０３として接続されている制御部２００の配下の機器（たとえば制御部２００が管理するスマートグリッド系の照明器具、エントランスの扉の電気錠、レンタルサイクルシステムや電気自動車の充電制御システム）などの平常通りの動作が可能となる。
【００８７】
一方、ステップＳ２で給電・充電制御部３０１から商用交流電源３０２の復旧を示すコマンドが送信されるとステップＳ７に移行し、ステップＳ３で用いたのと同様の報知方式によって商用交流電源３０２の復旧を報知する。
【００８８】
ステップＳ８では、ステップＳ４と逆の切り換え、すなわち制御部２００や給電・充電制御部３０１の主要部以外の各部、共用部負荷７０１〜７０３の給電源をバッテリー６０１から商用交流電源３０２に切り換え、ステップＳ９ではＡＣ／ＤＣコンバータ３００３〜充電制御回路３００６を用いてバッテリー６０１の充電を開始（再開）する。
【００８９】
ステップＳ１０では、開放していた給電パネル３００の扉１０１１が施錠状態に戻される。この給電パネル３００の扉１０１１の施錠は、たとえばソレノイドやモータなどの駆動源を用いて扉１０１１を閉成し、扉１０１１の施錠フック３０７が係合させるような構成も考えられるが、あるいは、公知の物品収受ボックスなどと同様に居住者や管理人が手動で扉１０１１を閉成することにより扉１０１１の施錠フック３０７を係合させ、ロック状態にする方式によって施錠を行なうような運用であってもよい。
【００９０】
以上に示したように、本実施例の物品収受装置は、商用交流電源の停電などの非常時の給電用にバッテリー６０１を設けることにより、停電時にも通常時と同様の物品収受動作が可能であり、さらに停電時には物品収受装置の管理する電気機器や、物品収受装置の制御部の配下の共用部負荷、あるいは物品収受装置近傍の共用部負荷（上記の共用部負荷７０１〜７０３）への給電も行なうことができる。すなわち、本実施例の物品収受装置は商用交流電源の停電という障害に強く、集合住宅共用部の停電時のバックアップ電源として機能させることができる、という優れた効果がある。
【００９１】
また、バッテリー６０１から供給される電力を装置外部の負荷に給電する給電アウトレット３０３〜３０５を設けることにより、商用交流電源からの電源供給が遮断された場合、バッテリー６０１から供給される電力を前記給電アウトレット３０３〜３０５を介して装置外部の任意の負荷に給電することができる。
【００９２】
また、給電アウトレット３０３〜３０５を物品収受ボックス１０１（または物品収受ボックスとほぼ同等の構造を有する収容区画）内に配置された給電パネル３００上に配置する構成によれば、物品収受装置を集合住宅近傍に非常用の電源を供給するバックアップ電源として動作させることができ、集合住宅の居住者、管理人、あるいは近隣住民など関係者は災害時の停電などの不慮の事態においても物品収受装置から任意の負荷に給電を受けることができる。
【００９３】
さらに給電アウトレット３０３〜３０５の収容区画の扉１０１１を電気錠３０９により施錠／開錠するようにし、商用交流電源３０２が停電している期間など必要な場合のみ給電アウトレット３０３〜３０５を装置外部の負荷に対する給電に用いることができるよう扉１０１１の電気錠３０９を開錠する構成とすることによって、必要な場合のみ前記給電アウトレットを使用できるよう制御でき、盗電などの不法行為を防止することができる。
【００９４】
あるいは給電アウトレット３０３〜３０５の収容区画の扉１０１１を機械的な非常開錠装置により開錠可能な錠前によって施錠されるようにし、商用交流電源からの電源供給が遮断された場合、前記非常開錠装置を介して前記扉の錠前を開錠し、前記給電アウトレットを装置外部の負荷に対する給電に用いられるよう構成することによっても、必要な場合のみ前記給電アウトレットを使用できるよう制御でき、盗電などの不法行為を防止することができる。
【００９５】
また、バッテリー６０１は物品収受ボックスの１つ（あるいは必要であれば複数の物品収受ボックスをバッテリー収容に割り当ててもよい）の内部に収納することにより、バッテリーの収容場所を特別に用意しなくてもかなり大容量で大型のバッテリー６０１を配置することができ、非常時や災害時などに給電パネル３００や共用部負荷７０１〜７０３に長時間、大きな電力を供給することができる。
【符号の説明】
【００９６】
１００  物品収受装置
１０１  物品収受ボックス
１０４  ディスプレイ
１０５  キーボード
２００  制御部
２０１  ＣＰＵ
２０２  ＲＯＭ
２０３  ＲＡＭ
２０５  インターフェース
２０７  外部記憶装置
２０８  共用部制御回路
３００  給電パネル
３０１  給電・充電制御部
３０２  商用交流電源
３０３〜３０５  給電アウトレット
６００  バッテリーコンパートメント
６０１  バッテリー
７０１  共用部負荷
１０１１  扉
３００１  電源制御部
３００３  ＡＣ／ＤＣコンバータ
３００４  ＤＣ／ＤＣコンバータ
３００５  ＤＣ／ＡＣコンバータ
３００６  充電制御回路
３００９  インターフェース
３０１０  給電状態センサ
【図１】
2013165925.tif 000003
【図２】
2013165925.tif 000004
【図３】
2013165925.tif 000005
【図４】
2013165925.tif 000006
【図５】
2013165925.tif 000007